(57)【要約】      （修正有）【課題】対象魚が食いついたときに破損を抑制可能であり且つ対象魚に与える違和感を低減可能な魚形ルアー用尾鰭部材及びそれを備えた魚形ルアーを提供する。【解決手段】尾鰭部材は、複数の繊維状体が束ねられて全体として扁平状の形状を成す鰭本体２２と、鰭本体２２の前部を周囲から保持する保持部材２４とを備え、保持部材２４は、鰭本体２２の前部の両側に位置する右内側面３２ａ及び左内側面３２ｂを有するとともにこれらの内側面３２ａ，３２ｂを含んで鰭本体２２の前部の周りを囲む外殻部３２と、内側面３２ａ，３２ｂから幅方向内側へ互いに先端が離間した状態で突出する右突出部３３ａと左突出部３３ｂの対が高さ方向に複数並ぶことによって構成された突出部群３３とを備え、鰭本体２２は、外殻部３２の内側面３２ａ，３２ｂ及び突出部群３３に挟まれることにより小幅部２８と大幅部２９とを高さ方向に沿って交互に生じている。【選択図】図８
2019024430.tif 000002
【特許請求の範囲】
【請求項１】
魚形ルアーのルアー本体の尾部に取り付けられる魚形ルアー用尾鰭部材であって、
直線状にそれぞれ延びる複数の繊維状体が前記ルアー本体の体高方向に対応する高さ方向及び前記ルアー本体の体幅方向に対応する幅方向に密集した状態に束ねられて全体として前記幅方向よりも前記高さ方向の寸法が大きい扁平状の形状を成す鰭本体と、
前記鰭本体の前部をその周囲から保持する保持部材であって前記鰭本体を前記尾部から後方へ突出させ且つ前記鰭本体の高さ方向を前記ルアー本体の体高方向に一致させるように前記尾部に結合する保持部材と、を備え、
前記保持部材は、前記幅方向において前記鰭本体の前部の両側に位置する一対の内側面を有するとともにこの一対の内側面を含んで前記鰭本体の前部の周りを囲む外殻部と、前記一対の内側面から幅方向内側へ互いに先端が離間した状態で突出する一対の突出部が前記高さ方向に沿って間隔をあけて複数並ぶことによって構成された突出部群とを備え、
前記鰭本体は前記外殻部の前記一対の内側面及び前記突出部群に挟まれることによって幅の小さい部位と幅の大きい部位とを前記高さ方向に沿って交互に生じている、魚形ルアー用尾鰭部材。
【請求項２】
前記外殻部の内部空間は、後方へ向かって前記高さ方向に拡開し、
前記各突出部は、所定方向に延びる突条として構成され、
前記一対の内側面の各々に設けられた複数の前記突出部は、後方へ向かって放射状に配列されている、請求項１に記載の魚形ルアー用尾鰭部材。
【請求項３】
前記鰭本体は、前記複数の繊維状体が束ねられたものである繊維状体集合体と、前記繊維状体集合体の前端部の周りに巻き付けられてその前端部を束ねる結束糸とを有し、
前記各内側面には、前記繊維状体集合体の前端部周りの前記結束糸が嵌まる溝が前記突出部よりも前側の位置に設けられている、請求項１又は２に記載の魚形ルアー用尾鰭部材。
【請求項４】
前記保持部材は、当該保持部材が前記幅方向において二分割されるとともに間に前記鰭本体の前部を挟み込んだ状態で互いに接合された一対の分割体からなる、請求項１〜３のいずれか１項に記載の魚形ルアー用尾鰭部材。
【請求項５】
前記繊維状体は獣毛である、請求項１〜４のいずれか１項に記載の魚形ルアー用尾鰭部材。
【請求項６】
請求項１〜５のいずれか１項に記載の魚形ルアー用尾鰭部材と、
魚体を模した形状のルアー本体であって前記保持部材が着脱可能に結合される尾部を有するものと、を備えた、魚形ルアー。
【発明の詳細な説明】
【技術分野】
【０００１】
本発明は、魚形ルアー用尾鰭部材及びそれを備えた魚形ルアーに関する。
【背景技術】
【０００２】
従来、ルアーフィッシングに用いられるルアーとして魚を模した魚形ルアーが知られており、例えば下記特許文献１にこのような魚形ルアーの一例が開示されている。
【０００３】
特許文献１に開示された魚形ルアーは、魚体を模した魚形体と、その魚形体の尾部に取り付けられる尾鰭部材とを備えている。この特許文献１では、尾鰭部材を軟質の合成樹脂で形成することにより、魚形ルアーを水中で泳がせたときに当該尾鰭部材が横に振れるようになり、当該魚形ルアーを魚が泳いでる姿に近づけることができると記載されている。
【先行技術文献】
【特許文献】
【０００４】
【特許文献１】特開２００７−１１７０２５号公報
【発明の概要】
【発明が解決しようとする課題】
【０００５】
しかしながら、前記特許文献１の尾鰭部材では、魚がルアーにアタックしたときに当該尾鰭部材が破損する虞がある。具体的には、魚はルアーにアタックするときに尾鰭部材に食いつくことがあり、軟質の合成樹脂からなる前記の尾鰭部材は食いちぎられて破損することがある。
【０００６】
また、前記特許文献１では、尾鰭部材を軟質の合成樹脂で形成して振れやすくしているとはいえ、当該尾鰭部材は魚形体の尾部から後方へ延びる単なる細長い板状のものであり、水中で当該尾鰭部材に自然な揺らめきを生じさせることは難しい。このため、魚形ルアーの対象魚に違和感を与える可能性が高い。
【０００７】
本発明の目的は、対象魚が食いついたときに破損を抑制可能であり、且つ、対象魚に与える違和感を低減可能な魚形ルアー用尾鰭部材及びそれを備えた魚形ルアーを提供することである。
【課題を解決するための手段】
【０００８】
本発明による魚形ルアー用尾鰭部材は、魚形ルアーのルアー本体の尾部に取り付けられる魚形ルアー用尾鰭部材であって、直線状にそれぞれ延びる複数の繊維状体が前記ルアー本体の体高方向に対応する高さ方向及び前記ルアー本体の体幅方向に対応する幅方向に密集した状態に束ねられて全体として前記幅方向よりも前記高さ方向の寸法が大きい扁平状の形状を成す鰭本体と、前記鰭本体の前部をその周囲から保持する保持部材であって前記鰭本体を前記尾部から後方へ突出させ且つ前記鰭本体の高さ方向を前記ルアー本体の体高方向に一致させるように前記尾部に結合する保持部材と、を備え、前記保持部材は、前記幅方向において前記鰭本体の前部の両側に位置する一対の内側面を有するとともにこの一対の内側面を含んで前記鰭本体の前部の周りを囲む外殻部と、前記一対の内側面から幅方向内側へ互いに先端が離間した状態で突出する一対の突出部が前記高さ方向に沿って間隔をあけて複数並ぶことによって構成された突出部群とを備え、前記鰭本体は前記外殻部の前記一対の内側面及び前記突出部群に挟まれることによって幅の小さい部位と幅の大きい部位とを前記高さ方向に沿って交互に生じている。
【０００９】
この魚形ルアー用尾鰭部材では、鰭本体が、直線状にそれぞれ延びる複数の繊維状体が前記高さ方向及び前記幅方向に密集した状態に束ねられたものであるため、対象魚がこの鰭本体に食いついたときには、当該鰭本体は流動的に変形するとともに繊維状体の延びる方向に沿って対象魚の口から抜けやすい。このため、当該鰭本体が対象魚の歯で切断されたり、対象魚に食いちぎられたりするのを抑制でき、その結果、尾鰭部材の損傷を効果的に抑制できる。
【００１０】
また、この魚形ルアー用尾鰭部材では、鰭本体が全体として前記幅方向よりも前記高さ方向の寸法が大きい扁平状の形状を成しているため、その鰭本体により魚の尾鰭のシルエットを表現できる。また、この魚形ルアー用尾鰭部材では、鰭本体の前部を周囲から保持する保持部材が、幅方向において鰭本体の前部の両側に位置する一対の内側面を有するとともにこの一対の内側面を含んで鰭本体の前部の周りを囲む外殻部と、その外殻部の一対の内側面から幅方向内側へ互いに先端が離間した状態で突出する一対の突出部が高さ方向に沿って間隔をあけて複数並ぶことによって構成された突出部群とを備え、鰭本体が外殻部の一対の内側面及び突出部群に挟まれることによって幅の小さい部位と幅の大きい部位とを高さ方向に沿って交互に生じている。これにより、鰭本体を容易に成形することができ、鰭本体に生じた幅の小さい部位と幅の大きい部位とが水中でそれぞれ異なった動きを示すことができる。その結果、鰭本体が水中で自然な揺らめきを生じ、魚形ルアーの対象魚に与える違和感を低減できる。
【００１１】
前記魚形ルアー用尾鰭部材において、前記外殻部の内部空間は、後方へ向かって前記高さ方向に拡開し、前記各突出部は、所定方向に延びる突条として構成され、前記一対の内側面の各々に設けられた複数の前記突出部は、後方へ向かって放射状に配列されていることが好ましい。
【００１２】
この構成によれば、外殻部の内部空間が後方へ向かって高さ方向に拡開しているため、その内部空間に前部が配置される鰭本体の外形を後方へ向かって高さ方向に拡開する扇状とすることができる。しかも、この構成では、各突出部は所定方向に延びる突条として構成され、外殻部の一対の内側面の各々に設けられた複数の突出部は後方へ向かって放射状に配列されているため、この複数の突条によって、鰭本体を扇状に成形しやすく、且つ、その鰭本体の扇状の外形を良好に維持することができる。従って、この構成によれば、鰭本体の外形を魚の尾鰭の扇状の外形に近づけて対象魚に与えられる違和感をより低減することができるとともに、その外形を良好に維持することができる。
【００１３】
また、各突出部が所定方向に延びる突条として構成され、外殻部の一対の内側面の各々に設けられた複数の突出部が後方へ向かって放射状に配列されていることから、この複数の突条により、鰭本体の複数の幅の小さい部位が後方へ向かってそれぞれ筋状に延びるとともに放射状に配列されるように当該複数の幅の小さい部位を良好に成形することができる。このため、鰭本体の外観を複数の鰭条と複数の鰭膜が放射状に延びる魚の尾鰭の外観により近づけることができるとともに、鰭本体に水中でより自然な揺らめきを生じさせることが可能となる。
【００１４】
前記魚形ルアー用尾鰭部材において、前記鰭本体は、前記複数の繊維状体が束ねられたものである繊維状体集合体と、前記繊維状体集合体の前端部の周りに巻き付けられてその前端部を束ねる結束糸とを有し、前記各内側面には、前記繊維状体集合体の前端部周りの前記結束糸が嵌まる溝が前記突出部よりも前側の位置に設けられていることが好ましい。
【００１５】
繊維状体集合体の前端部の周りに結束糸が巻き付けられることによってその結束糸は繊維状体集合体の前端部の外周面から周りに突出するが、この構成によれば、外殻部の各内側面に、繊維状体集合体の前端部周りの結束糸が嵌まる溝が突出部よりも前側の位置に設けられていることにより、保持部材の外殻部を前記結束糸によって阻害されることなく鰭本体の前部の周りに取り付けることができる。しかも、前記溝への結束糸の部分の嵌合により、鰭本体が保持部材から後方へ抜け難くなるので、保持部材からの鰭本体の脱落を抑制する効果を高めることができる。
【００１６】
前記魚形ルアー用尾鰭部材において、前記保持部材は、当該保持部材が前記幅方向において二分割されるとともに間に前記鰭本体の前部を挟み込んだ状態で互いに接合された一対の分割体からなることが好ましい。
【００１７】
この構成では、保持部材は、当該保持部材が幅方向において二分割されるとともに間に鰭本体の前部を挟み込んだ状態で互いに接合された一対の分割体からなることにより、前記一対の分割体で鰭本体の前部を幅方向の両側から挟み込んでそれらの分割体同士を接合するだけで保持部材に鰭本体の前部を保持させることができるとともに当該鰭本体を成形することができる。このため、鰭本体の前部を保持部材で保持するための作業及び鰭本体を成形する作業を容易に行うことができる。
【００１８】
前記魚形ルアー用尾鰭部材において、前記繊維状体は獣毛であることが好ましい。
【００１９】
獣毛は天然物であるので、この構成によれば、水中で鰭本体の繊維状体集合体がより自然で滑らかな揺らめきを生じ、対象魚を惹きつける機能を向上できる。
【００２０】
また、本発明による魚形ルアーは、前記魚形ルアー用尾鰭部材と、魚体を模した形状のルアー本体であって前記保持部材が着脱可能に結合される尾部を有するものと、を備える。
【００２１】
この魚形ルアーでは、前記魚形ルアー用尾鰭部材による効果と同様の効果、すなわち、対象魚が当該ルアーの尾鰭部材に食いついたときにその尾鰭部材の破損を抑制可能であり且つ対象魚に与える違和感を低減可能であるという効果を得ることができる。
【発明の効果】
【００２２】
以上説明したように、本発明によれば、対象魚が食いついたときに破損を抑制可能であり、且つ、対象魚に与える違和感を低減可能な魚形ルアー用尾鰭部材及びそれを備えた魚形ルアーを提供することができる。
【図面の簡単な説明】
【００２３】
【図１】本発明の一実施形態による魚形ルアーの側面図である。
【図２】本発明の一実施形態による魚形ルアーの体長方向の略中央から後端までの部分を上方から見た図である。
【図３】本発明の一実施形態による魚形ルアー用尾鰭部材の側面図である。
【図４】図３の魚形ルアー用尾鰭部材から保持部材の一方の分割体である左側パーツを取り外した状態を示す図である。
【図５】前記魚形ルアー用尾鰭部材の保持部材の斜視図である。
【図６】前記保持部材を前端側から見た図である。
【図７】前記保持部材を後端側から見た図である。
【図８】図３中のＶＩＩＩ−ＶＩＩＩ線における魚形ルアー用尾鰭部材の断面図である。
【図９】前記保持部材の分解斜視図である。
【図１０】前記保持部材を構成する右側パーツの平面図である。
【発明を実施するための形態】
【００２４】
以下、本発明の一実施形態について図面を参照して説明する。
【００２５】
本発明の一実施形態による魚形ルアー１は、ルアーフィッシングに用いられるものであり、魚を模したものである。図１は、この魚形ルアー１の側面図である。この魚形ルアー１は、魚体を模した形状のルアー本体２と、そのルアー本体２の尾部１３（後述）に取り付けられる魚形ルアー用尾鰭部材４（以下、単に尾鰭部材４と称する）と、釣り針であるフロントフック６及びリアフック７とを有する。
【００２６】
本実施形態では、図１に示すように魚形ルアー１について前後及び上下が規定される。また、魚形ルアー１についての左右は、図１に示した魚形ルアー１の前方を基準に規定され、図２に示すように規定される。また、この魚形ルアー１のルアー本体２は、図１に示すように、当該ルアー本体２の上端縁に相当する背２ａと、当該ルアー本体２の下端縁に相当する腹２ｂとを有する。この背２ａと腹２ｂとを結ぶ上下方向がルアー本体２の体高方向（図１参照）である。また、この体高方向に対して垂直である左右方向がルアー本体２の体幅方向（図２参照）である。
【００２７】
ルアー本体２は、図１に示すように、頭部１１と、中間部１２と、尾部１３とを有し、これらの頭部１１、中間部１２及び尾部１３は、ルアー本体２の前から後ろへ向かってこの順番で配置されている。頭部１１、中間部１２及び尾部１３の素材として、合成樹脂、木材、又は、金属など、ルアーに用いることが可能な種々の素材が用いられる。また、頭部１１、中間部１２及び尾部１３の外面には、魚の外観を表現する各種デザインや光沢を有する塗装などが施されている。
【００２８】
頭部１１は、概ね魚の頭に相当する部分である。この頭部１１には、釣り用のラインが結ばれる箇所であるリング状のラインアイ１４と、フロントフック６が連結される箇所であるリング状のフロントアイ１５とが設けられている。ラインアイ１４は、頭部１１のうち魚の口の位置に相当する前端に設けられている。フロントアイ１５は、頭部１１の腹２ｂに設けられており、魚の鰓に相当する部位の下方に配置されている。
【００２９】
中間部１２は、頭部１１の後方に配置され、その頭部１１に対して左右に揺動可能に連結されている。この中間部１２は、概ね魚体の胴に相当する部分である。当該中間部１２には、リアフック７が連結される箇所であるリング状のリアアイ１６が設けられている。このリアアイ１６は、中間部１２の腹２ｂに設けられている。
【００３０】
尾部１３は、中間部１２の後方に配置され、その中間部１２に対して左右に揺動可能に連結されている。この尾部１３は、魚体の尾に相当する部分である。以上のように、中間部１２が頭部１１に対して左右に揺動可能に連結されるとともに当該尾部１３が中間部１２に対して左右に揺動可能に連結されることにより、魚形ルアー１は、リトリーブされたときや、水流を受けたときに水中で左右にうねるような動きをすることが可能となっている。
【００３１】
尾部１３は、尾鰭部材４が着脱可能に結合されるように構成されている。具体的に、尾部１３には、尾鰭部材４の後述の保持部材２４を収容する保持部材収容凹部１７（図２参照）と、その保持部材収容凹部１７に保持部材２４が収容された状態で尾鰭部材４の後述の鰭本体２２が挿通される鰭本体挿通溝１８とが設けられている。
【００３２】
保持部材収容凹部１７は、尾部１３の背２ａ側（上側）に開口するとともに腹２ｂ側（下側）において有底の凹部であり、その背２ａ側の開口を通じて当該保持部材収容凹部１７に保持部材２４を挿脱可能となっている。保持部材２４を保持部材収容凹部１７内にその底部に突き当たるまで挿入することにより、当該保持部材２４が尾部１３に保持されるとともに尾鰭部材４が尾部１３に対して規定位置に位置決めされるようになっている。保持部材収容凹部１７は、上方から見て後方へ向かうにつれて幅が減少する略台形状を成しており、当該保持部材収容凹部１７を形成する右内側面１７ｂと左内側面１７ｃは後方へ向かうにつれて互いに接近するように傾斜している。
【００３３】
鰭本体挿通溝１８は、保持部材収容凹部１７の後端から尾部１３の後端へ連通するとともに尾部１３の背２ａ側（上側）に開口する溝であり、その背２ａ側の開口を通じて当該鰭本体挿通溝１８に鰭本体２２を挿脱可能となっている。この鰭本体挿通溝１８の前記体幅方向（左右方向）における幅は、保持部材収容凹部１７の後端部の同方向における幅よりも小さい。これにより、保持部材収容凹部１７の前記右内側面１７ｂの後端部と鰭本体挿通溝１８の右内側面の前端部との間に段差が形成されているとともに、保持部材収容凹部１７の前記左内側面１７ｃの後端部と鰭本体挿通溝１８の左内側面の前端部との間に段差が形成されている。これらの段差が、保持部材収容凹部１７に収容された保持部材２４が後方へ抜けるのを阻止する抜止部１９になっている。
【００３４】
また、鰭本体挿通溝１８の幅は、鰭本体２２の幅に対して遊びを有する程度に設定されている。これにより、鰭本体２２が鰭本体挿通溝１８の左右の壁によって両側から押さえつけられるのを回避でき、後述のように保持部材２４によって成形される鰭本体２２の形状が崩されないようになっている。
【００３５】
本実施形態による尾鰭部材４は、以上のような構成のルアー本体２の尾部１３に取り付けられるものであり、魚の尾鰭を模している。この尾鰭部材４は、図３に示すように、鰭本体２２と、保持部材２４を有する。
【００３６】
鰭本体２２は、直線状にそれぞれ延びる多数の繊維状体２５ａがルアー本体２の体高方向に対応する高さ方向及びルアー本体２の体幅方向に対応する幅方向に密集した状態に束ねられて全体として幅方向よりも高さ方向の寸法が大きい扁平状の形状を成すものである。この鰭本体２２は、繊維状体集合体２５と、結束糸２６（図４参照）とを有する。
【００３７】
繊維状体集合体２５は、多数の繊維状体２５ａが束ねられたものである。具体的には、繊維状体集合体２５は、多数の繊維状体２５ａを揃えるとともにそれらの繊維状体２５ａの長手方向の一端部である前端部を束ねて一体化し、これを扁平に押し潰すことによって形成されている。また、繊維状体２５ａは、微細径（例えば０．０１〜０．５ｍｍ程度）の紐状素材である。当該繊維状体２５ａは、本実施形態では獣毛であり、例えば、狸、羊、馬、イタチ、猫など筆の素材に用いられる動物の毛が単独又は混合して当該繊維状体２５ａに利用される。
【００３８】
また、繊維状体集合体２５（鰭本体２２）は、前記扁平状の形状を成すとともに、後方へ向かうにつれて高さ方向に拡大する形状を成している。換言すれば、繊維状体集合体２５（鰭本体２２）は、側方から見て略扇状を成すように後方へ向かって広がっている。
【００３９】
また、繊維状体集合体２５の後端縁２７は、側方から見て、魚の尾鰭の後端縁を模した波型の曲線状を成している。この後端縁２７は、本実施形態では、多数の繊維状体２５ａを束ねて前記のようにそれらの前端部を一体化させるとともに扇状に広げた後、それらの繊維状体２５ａの先端部（後端部）を前記のような曲線状に切り揃えるか、もしくは、切り揃えずにそれらの繊維状体２５ａの先端部が全体として前記の曲線状を形作るようにそれらの繊維状体２５ａを束ねることによって形成される。繊維状体２５ａとして用いる獣毛は、先端に向かうにつれて小径となる先細状を成しているため、その先端部付近が最も自然な揺らめきを生じやすい。このため、その獣毛を先端部を切らずに束ねることで前記後端縁２７を形成する場合には、より自然な揺らめきを生じやすい鰭本体２２の繊維状体集合体２５を成形することができる。
【００４０】
また、鰭本体２２が保持部材２４に保持された状態で、繊維状体集合体２５には、幅の小さい部位である小幅部２８と幅の大きい部位である大幅部２９とが高さ方向において交互に生じる。保持部材２４に装着された状態での鰭本体２２の構成については、後に詳述する。
【００４１】
結束糸２６（図４参照）は、繊維状体集合体２５の前端部の周りに巻き付けられてその前端部を束ねるものである。本実施形態では、この結束糸２６で繊維状体集合体２５の前端部を結束するとともに接着剤でその繊維状体集合体２５の前端部を固めることにより、繊維状体集合体２５の前端部が一体化されている。繊維状体集合体２５の前端部に巻き付けられた結束糸２６は、その繊維状体集合体２５の前端部の外周面から周りに僅かに突出している。
【００４２】
保持部材２４は、合成樹脂製の部材であり、鰭本体２２の前部をその周囲から保持するとともに幅方向に圧接状態で挟み込むことにより鰭本体２２の形状を成形する。具体的には、保持部材２４は、鰭本体２２の結束糸２６を含めた前端部を挟み込む状態に保持する。保持部材２４が鰭本体２２を保持した状態で、当該保持部材２４の後端から鰭本体２２の繊維状体集合体２５が後方へ突出して延びている。保持部材２４は、前記保持部材収容凹部１７に収容されることで、鰭本体２２の繊維状体集合体２５を鰭本体挿通溝１８を通じてルアー本体２の尾部１３の後端から後方へ突出させるとともに鰭本体２２の高さ方向をルアー本体２の体高方向に一致させるように尾部１３に結合する。以下、当該保持部材２４の詳細な構造について説明する。
【００４３】
保持部材２４は、幅方向よりも高さ方向の寸法が大きい扁平筒状の外殻部３２（図５及び図６参照）と、その外殻部３２の内面に左右方向に突出した状態で設けられた突出部群３３（図６参照）とを備えている。
【００４４】
外殻部３２は、保持部材２４の外面を構成し、側方から見て後方へ向かうにつれて高さ方向に拡大する台形状を成すとともに上方から見て後方へ向かうにつれて幅が減少する台形状を成す外形を有する。外殻部３２の上方から見た外形は、保持部材収容凹部１７を上方から見た形状にフィットする形状となっている。このため、保持部材２４を保持部材収容凹部１７に収容するときに当該外殻部３２が保持部材収容凹部１７内にフィットするようになっている。
【００４５】
このような外形を有する外殻部３２は、前記のように筒状に構成され、内側に鰭本体２２の前部を収容する内部空間を有する。この外殻部３２の内部空間は、後方へ向かうにつれて高さ方向に拡開しており、外殻部３２の前端と後端において開口している。外殻部３２は、図８に示すように、幅方向において鰭本体２２の前部の両側に位置する右内側面３２ａと左内側面３２ｂを有していてこの両内側面３２ａ，３２ｂを含んで鰭本体２２の前部の周りを囲んでいる。
【００４６】
具体的には、外殻部３２は、鰭本体２２の前部の右側に位置する右側壁部３４と、鰭本体２２の前部の左側に位置する左側壁部３５と、右側壁部３４の上端と左側壁部３５の上端とを繋ぐ上壁部３６と、右側壁部３４の下端と左側壁部３５の下端とを繋ぐ下壁部３７とを有し、左右の側壁部３５，３４の内側面が前記左右の内側面３２ｂ，３２ａを構成している。
【００４７】
上下の各壁部３６，３７は、上下各方へ膨らむように湾曲した形状を成している。外殻部３２は、その内部空間に配置された鰭本体２２の前部の周りを、この上壁部３６及び下壁部３７の湾曲した各内面と前記右内側面３２ａ及び前記左内側面３２ｂによって囲んでいる。
【００４８】
また、外殻部３２の前端部の内面は、左右両側（幅方向両外側）へ凹んで左右一対の溝３８が形成されている。これらの溝３８には、鰭本体２２の結束糸２６の部分が収容され、当該結束糸２６の部分が溝３８の後方段差部に当たって後方への移動が阻止されるようになっている。それにより、外殻部３２の内部空間から後方への鰭本体２２の前部の意図しない抜け出しが阻止されるようになっている。
【００４９】
突出部群３３は、外殻部３２の右内側面３２ａから幅方向内側へ突出する右突出部３３ａと外殻部３２の左内側面３２ｂから幅方向内側へ前記右突出部３３ａの先端に対して先端が離間するように突出する左突出部３３ｂとの対が高さ方向に沿って間隔をあけて複数並ぶことによって構成されたものである。本実施形態では、右突出部３３ａと左突出部３３ｂとの対が６対設けられている。
【００５０】
各右突出部３３ａは、概ね前後方向に延びる突条として構成されている。各右突出部３３ａの下面及び上面は、前記右内側面３２ａから幅方向内側（左方）へ垂直に立ち上がっている。各右突出部３３ａの幅方向内側の先端部、前端部及び後端部は、丸まった凸状を成している。
【００５１】
前記右内側面３２ａに設けられた複数の右突出部３３ａは、図１０に示すように、高さ方向（上下方向）に間隔をあけて並ぶとともに、後方へ向かって放射状に配列されている。具体的には、当該複数の右突出部３３ａは、保持部材２４の前端よりも前方に位置する所定の点を中心とした放射状に配列されている。また、前後方向における各右突出部３３ａの後端の位置は、外殻部３２の後端縁上に揃っている。
【００５２】
各左突出部３３ｂ（図７参照）もまた所定方向に延びる突条として構成されており、前記各右突出部３３ａと左右対称となる形状を成している。また、前記左内側面３２ｂに設けられた複数の左突出部３３ｂは、高さ方向（上下方向）に間隔をあけて並ぶとともに後方へ向かって放射状に配列されており、前記複数の右突出部３３ａと左右対称に配置されている。すなわち、各左突出部３３ｂと各右突出部３３ａは、幅方向においてそれらの先端部間に空隙を形成する状態で互いに左右対称となるように対向配置されている。
【００５３】
そして、鰭本体２２の繊維状体集合体２５は、図８に示すように、外殻部３２の前記右内側面３２ａ、前記左内側面３２ｂ、突出部群３３の各右突出部３３ａ及び各左突出部３３ｂに挟まれることによって成形されて小幅部２８と大幅部２９とを高さ方向に沿って交互に生じている。
【００５４】
具体的に、保持部材２４の内部空間は、突出部群３３が設けられた当該保持部材２４の後端部において前後方向に直交する方向の断面積が最小になり、この位置において、繊維状体２５ａが当該内部空間に一杯に充填されることで繊維状体集合体２５が成形される。そして、この位置において、前記右内側面３２ａ、前記左内側面３２ｂ、前記各右突出部３３ａ及び前記各左突出部３３ｂによって規定される当該保持部材２４の内部空間（特に後端部の開口）の幅が高さ方向に沿って広狭交互に変更されている。
【００５５】
詳しくは、左右の突出部３３ｂ，３３ａの対が設けられた領域では、保持部材２４の内部空間の幅は、その左右の突出部３３ｂ，３３ａの先端部間の空隙の小さい幅になっている。このため、この領域に収まる繊維状体集合体２５の幅は小さい幅に規制され、それによって小幅部２８が形成されている。また、一対の左右の突出部３３ｂ，３３ａとそれらに対して上下方向に隣り合う別の対の左右の突出部３３ｂ，３３ａとの間の領域では、保持部材２４の内部空間の幅は、外殻部３２の左右の内側面３２ｂ，３２ａ間の間隔に相当し、前記左右の突出部３３ｂ，３３ａの先端部間の空隙よりも大きい。このため、この領域に収まる繊維状体集合体２５の幅は大きくなり、それによって大幅部２９が形成されている。
【００５６】
前記のように形成される小幅部２８は、繊維状体集合体２５のうち保持部材２４から後方へ突出する部分にも及ぶように後方へ筋状に延びる。また、複数の小幅部２８は、それらを形成する左右の突出部３３ｂ，３３ａが後方へ向かって放射状に配列された突条であることにより、後方へ向かって放射状に延びるようにその延びる方向が設定される。そして、繊維状体集合体２５に小幅部２８と大幅部２９とが高さ方向に沿って交互に形成されることにより、複数の鰭条と複数の鰭膜とを有する魚の尾鰭を模した鰭本体２２の外観が表現されている。すなわち、後方へ向かって放射状に延びる複数の小幅部２８が複数の鰭膜を表現し、複数の大幅部２９が複数の鰭条を表現している。小幅部２８と大幅部２９は水中で異なる動きを示し、その結果、鰭本体２２の繊維状体集合体２５が水中で自然な揺らめきを生じるようになっている。
【００５７】
また、本実施形態では、保持部材２４は、図５〜図９に示すように、当該保持部材２４を幅方向の中心で二分割したパーツを嵌め合わせて接着することにより形成される。具体的には、保持部材２４は、当該保持部材２４の幅方向の中心から右側の部分を構成する右側パーツ５２と、当該保持部材２４の幅方向の中心から左側の部分を構成する左側パーツ５４とからなる。この右側パーツ５２と左側パーツ５４は、本発明における一対の分割体の一例である。
【００５８】
右側パーツ５２は、前記外殻部３２の幅方向の中心から右側の部分に相当する右側外殻部５５と、保持部材２４の前記複数の右突出部３３ａと、一対の嵌合用凸部５６とを有する。
【００５９】
右側外殻部５５は、図６に示すように、前方から見て概ねＣ字状の形状を成している。右側外殻部５５は、図９に示すように、外殻部３２の前記右側壁部３４に相当する右側壁相当部５５ａと、前記右側壁相当部５５ａの上端から湾曲しつつ左方へ延び、前記上壁部３６の幅方向の中心から右側の部位に相当する右上壁部５５ｂと、前記右側壁相当部５５ａの下端から湾曲しつつ左方へ延び、前記下壁部３７の幅方向の中心から右側の部位に相当する右下壁部５５ｃとからなる。また、この右側外殻部５５は、前記上壁部３６の幅方向の中心線に沿った右側の分割面に相当する右上分割面５８（図７及び図１０参照）と、前記下壁部３７の幅方向の中心線に沿った右側の分割面に相当する右下分割面５９とを有する。右上分割面５８は右上壁部５５ｂの左側の端面であり、右下分割面５９は右下壁部５５ｃの左側の端面である。
【００６０】
一対の嵌合用凸部５６は、それぞれ、右上分割面５８の前端部と右下分割面５９の前端部から左方へ突出しており、右側パーツ５２と左側パーツ５４を嵌め合せるときにそれらのパーツ５２，５４同士の位置決めに用いられるものである。
【００６１】
左側パーツ５４は、前記外殻部３２の幅方向の中心から左側の部分に相当する左側外殻部６２（図７参照）と、保持部材２４の前記複数の左突出部３３ｂと、一対の嵌合用凹部６３（図６参照）とを有する。
【００６２】
左側外殻部６２は、前方から見て概ね逆Ｃ字状の形状を成している。左側外殻部６２は、図９に示すように、外殻部３２の前記左側壁部３５に相当する左側壁相当部６２ａと、その左側壁相当部６２ａの上端から湾曲しつつ右方へ延び、前記上壁部３６の幅方向の中心から左側の部位に相当する左上壁部６２ｂと、前記左側壁相当部６２ａの下端から湾曲しつつ右方へ延び、前記下壁部３７の幅方向の中心から左側の部位に相当する左下壁部６２ｃとからなる。また、この左側外殻部６２は、前記上壁部３６の幅方向の中心線に沿った左側の分割面に相当する左上分割面６５（図７参照）と、前記下壁部３７の幅方向の中心線に沿った左側の分割面に相当する左下分割面６６とを有する。左上分割面６５は左上壁部６２ｂの右側の端面であり、左下分割面６６は左下壁部６２ｃの右側の端面である。
【００６３】
一対の嵌合用凹部６３は、それぞれ、左上分割面６５の前端部と左下分割面６６の前端部とに設けられ、それらの前端部から右方へ窪んでいる。この嵌合用凹部６３は、前記嵌合用凸部５６とともに、右側パーツ５２と左側パーツ５４を嵌め合せるときにそれらのパーツ５２，５４同士の位置決めに用いられるものである。すなわち、嵌合用凹部６３は、当該嵌合用凹部６３に前記嵌合用凸部５６が嵌め込まれることで右側パーツ５２と左側パーツ５４とがずれのない位置決め状態で嵌合されるように構成されている。
【００６４】
そして、右側パーツ５２と左側パーツ５４は、鰭本体２２の前端部の結束糸２６の部分がそれらの前端部の溝３８（図４参照）に嵌まるように鰭本体２２の前部を配置した状態で、図８に示すように鰭本体２２の前部を挟み込むとともに、一対の嵌合用凸部５６（図６及び図９参照）を一対の嵌合用凹部６３に嵌め込み、重ね合された前記右上分割面５８と前記左上分割面６５とを接着するとともに、重ね合された前記右下分割面５９と前記左下分割面６６とを接着することによって、一体化される。この状態で、右側パーツ５２の前記複数の右突出部３３ａと左側パーツ５４の前記複数の左突出部３３ｂとが互いに幅方向において向き合い、それらの突出部３３ａ，３３ｂによって保持部材２４の前記突出部群３３が構成されるようになっている。
【００６５】
以上のように、本実施形態では、鰭本体２２の繊維状体集合体２５が、直線状にそれぞれ延びる複数の繊維状体２５ａを高さ方向及び幅方向に密集した状態に束ねたものであるため、対象魚がこの繊維状体集合体２５に食いついたときには、繊維状体集合体２５は流動的に変形するとともに繊維状体２５ａの延びる方向に沿って対象魚の口から抜けやすい。このため、当該鰭本体２２の繊維状体集合体２５が対象魚の歯で切断されたり、対象魚に食いちぎられたりするのを抑制でき、その結果、尾鰭部材４の損傷を効果的に抑制できる。
【００６６】
また、本実施形態では、鰭本体２２が全体として幅方向よりも高さ方向の寸法が大きい扁平状の形状を成している。より具体的には、保持部材２４の外殻部３２の内部空間が後方へ向かって高さ方向に拡開していることにより、その内部空間に前部が配置される鰭本体２２の繊維状体集合体２５の外形が後方へ向かって高さ方向に拡開する扁平した扇状の形状を成す。このため、当該鰭本体２２の繊維状体集合体２５により、魚の尾鰭のシルエットを表現できる。
【００６７】
また、本実施形態では、鰭本体２２の前部を周囲から保持する保持部材２４が、幅方向において鰭本体２２の前部の両側に位置する右内側面３２ａ及び左内側面３２ｂを有するとともにこの右内側面３２ａ及び左内側面３２ｂを含んで鰭本体２２の前部の周りを囲む外殻部３２と、その外殻部３２の右内側面３２ａ及び左内側面３２ｂから幅方向内側へ互いに先端が離間した状態で突出する右突出部３３ａと左突出部３３ｂの対が高さ方向に沿って間隔をあけて複数並ぶことによって構成された突出部群３３とを備え、鰭本体２２の繊維状体集合体２５は、外殻部３２の右内側面３２ａ、左内側面３２ｂ及び突出部群３３に挟まれることによって小幅部２８と大幅部２９とを高さ方向に沿って交互に生じている。これにより、鰭本体２２の繊維状体集合体２５を容易に成形することができ、鰭本体２２に生じた小幅部２８と大幅部２９とが水中でそれぞれ異なった動きを示すことができる。その結果、鰭本体２２の繊維状体集合体２５が水中で自然な揺らめきを生じ、魚形ルアー１の対象魚に与える違和感を低減できる。
【００６８】
また、本実施形態では、各右突出部３３ａ及び各左突出部３３ｂは所定方向に延びる突条として構成され、外殻部３２の左右の内側面３２ｂ，３２ａの各々に設けられた複数の左右の突出部３３ｂ，３３ａが後方へ向かって放射状に配列されている。このため、この複数の左右の突出部３３ｂ，３３ａによって、鰭本体２２の繊維状体集合体２５を扇状に成形しやすく、且つ、その繊維状体集合体２５の扇状の外形を良好に維持することができる。
【００６９】
また、本実施形態では、前記のように各右突出部３３ａ及び各左突出部３３ｂが所定方向に延びる突条として構成され、外殻部３２の左右の内側面３２ｂ，３２ａの各々に設けられた複数の左右の突出部３３ｂ，３３ａが後方へ向かって放射状に配列されていることから、この複数の左右の突出部３３ｂ，３３ａにより、鰭本体２２の繊維状体集合体２５の複数の小幅部２８が後方へ向かってそれぞれ筋状に延びるとともに放射状に配列されるように当該複数の小幅部２８を良好に成形することができる。なお、各突出部３３ｂ，３３ａの後端から後方へ離れるにつれて、各小幅部２８の筋状の形状は繊維状体２５の自然な広がりによってぼやけやすいが、本実施形態では、左右の各突出部３３ｂ，３３ａの後端の位置が外殻部３２の後端縁上に揃っているため、それらの突出部３３ｂ，３３ａの後端の位置が外殻部３２の後端縁よりも前側に設定される場合に比べて、外殻部３２の後端縁から後方へ突出する繊維状体集合体２５において各小幅部２８の筋状の形状をより明確に成すことができる。以上のことから、本実施形態では、鰭本体２２の外観を複数の鰭条と複数の鰭膜が放射状に延びる魚の尾鰭の外観により近づけることができるとともに、鰭本体２２に水中でより自然な揺らめきを生じさせることが可能となる。
【００７０】
また、本実施形態では、各右突出部３３ａ及び各左突出部３３ｂの先端部、前端部及び後端部が丸まった凸状を成している。仮に、各右突出部３３ａ及び各左突出部３３ｂの先端部、前端部及び後端部が角張った形状を成している場合には、それらの角に繊維状体２５ａが擦れて断裂する虞があるが、本実施形態のように丸まった凸状を成していることにより、そのような繊維状体２５ａの断裂が生じるのを抑制できる。
【００７１】
また、本実施形態では、保持部材２４が幅方向において二分割されるとともに間に鰭本体２２の前部を挟み込んだ状態で互いに接合された右側パーツ５２と左側パーツ５４によって保持部材２４が構成されている。このため、右側パーツ５２と左側パーツ５４で鰭本体２２の前部を幅方向の両側から挟み込んでそれらのパーツ５２，５４同士を接合するだけで、保持部材２４に鰭本体２２の前部を保持させることができるとともに当該鰭本体２２を成形することができる。このため、鰭本体２２の前部を保持部材２４で保持するための作業及び鰭本体２２を成形する作業を容易に行うことができる。
【００７２】
また、本実施形態では、繊維状体集合体２５の前端部の周りに結束糸２６が巻き付けられることによってその結束糸２６は繊維状体集合体２５の前端部の外周面から周りに突出するが、保持部材２４の外殻部３２の内面に、繊維状体集合体２５の前端部周りの結束糸２６が嵌まる溝３８が突出部３３ａ，３３ｂよりも前側の位置に設けられていることにより、外殻部３２を結束糸２６によって阻害されることなく鰭本体２２の前部の周りに取り付けることができる。しかも、この溝３８への結束糸２６の部分の嵌合により、鰭本体２２が保持部材２４から後方へ抜け難くなるので、保持部材２４からの鰭本体２２の脱落を抑制する効果を高めることができる。
【００７３】
また、本実施形態では、鰭本体２２の繊維状体集合体２５を構成する繊維状体２５ａが獣毛であるため、水中で繊維状体集合体２５がより自然で滑らかな揺らめきを生じ、対象魚を惹きつける機能を向上できる。
【００７４】
なお、本発明による魚形ルアー用尾鰭部材及び魚形ルアーは、前記実施形態のようなものに必ずしも限定されない。本発明による魚形ルアー用尾鰭部材及び魚形ルアーの構成として例えば以下のような構成を採用することが可能である。
【００７５】
保持部材の各突出部は、体長方向（前後方向）に直交する断面の幅寸法が高さ方向に沿って変化するものであれば、具体的形状を問わず、例えば保持部材の高さ方向に沿って外殻部の内側面から保持部材の幅方向内側へ緩やかに立ち上がるものであってもよい。この場合、保持部材の内部空間は、突出部が設けられた前後方向の位置において当該内部空間の幅が高さ方向に沿って緩やかに広狭交互に変化するものとなる。
【００７６】
或いは、本発明における各突出部は、前記実施形態で示したような突条に限定されず、前記突条よりも前後方向の寸法が小さいピン状（柱状）のものであって外殻部の内側面から幅方向内側へ突出するものであってもよい。ただし、各突出部が前記突条である場合には、当該各突出部の前後方向の長さが大きくなるため、各突出部がピン状である場合に比べて、各突出部によって形成される鰭本体の各小幅部を後方へ放射状に延びる筋状に成形しやすくなるとともに、繊維状体の延びる向きを放射状に延びる複数の突条に沿うように規制して繊維状体集合体を全体として扇状に成形しやすくなるという効果がある。
【００７７】
また、保持部材の外殻部の内部空間は、後方へ向かって高さ方向に拡開するような形状に限定されず、それ以外の形状を成していてもよい。例えば、外殻部の内部空間は、側方から見て矩形状等の形状を成していてもよい。この場合、鰭本体は、内部空間の形状に応じて保持部材の外殻部から後方へ突出した部分の高さ方向の寸法が後端に至るまで概ね一定に維持される形状を成すように形成される。
【００７８】
また、各突出部は、前記突条よりも高さ方向の寸法が小さい板状のものであってもよい。
【００７９】
また、繊維状体は、必ずしも獣毛に限定されない。例えば、繊維状体は、ナイロンやポリエチレン、その他の軟質の合成樹脂やゴムを糸状に形成したものであってもよい。また、繊維状体は厳密に直線を成すように延びるものでなくてもよく、概ね直線状に延びるものも本発明の繊維状体に含まれる。このため、例えば、繊維状体は、鳥の羽根のようなものであってもよい。鳥の羽根は、直線的に延びる羽根軸とその羽根軸から周りに延びる羽毛とを有するが、全体として概ね直線状に延びているため、本発明の繊維状体として用いることが可能である。
【００８０】
また、繊維状体集合体を構成する繊維状体として、獣毛と、合成樹脂の繊維状体やゴム製の繊維状体とを混ぜて用いてもよい。
【００８１】
また、ルアー本体は、その全体が一体に形成されたものであってもよい。また、本発明におけるルアー本体の形状として、公知の形態の様々な魚形ルアーのルアー本体の形状を適用可能である。
【００８２】
また、ルアー本体の尾部と尾鰭部材の保持部材との結合構造は、前記実施形態で示した構造に必ずしも限定されない。例えば、尾鰭部材の保持部材をルアー本体の尾部に接着することでその保持部材を尾部に結合させるものであってもよい。また、尾鰭部材の保持部材とルアー本体の尾部にそれぞれ円環部を設け、それらの円環部にピン、ビス又はボルト等を挿通することで当該円環部同士を結合させるものであってもよい。また、これら以外の公知の結合構造をルアー本体の尾部と尾鰭部材の保持部材との結合構造に適用することも可能である。
【００８３】
また、鰭本体（繊維状体集合体）の後端縁は、側方から見て、直線状や円弧状などの形状を成していてもよい。
【００８４】
また、保持部材の外殻部内における突出部の位置は、その突出部の後端が外殻部の後端縁よりも前側に配置されるように設定されてもよい。
【符号の説明】
【００８５】
１  魚形ルアー
２  ルアー本体
４  魚形ルアー用尾鰭部材
１３  尾部
１７  保持部材収容凹部
２２  鰭本体
２４  保持部材
２５  繊維状体集合体
２５ａ  繊維状体
２６  結束糸
２８  小幅部
２９  大幅部
３２  外殻部
３２ａ  右内側面
３２ｂ  左内側面
３３  突出部群
３３ａ  右突出部
３３ｂ  左突出部
３８  溝
５２  右側パーツ（分割体）
５４  左側パーツ（分割体）
【図１】
2019024430.tif 000003
【図２】
2019024430.tif 000004
【図３】
2019024430.tif 000005
【図４】
2019024430.tif 000006
【図５】
2019024430.tif 000007
【図６】
2019024430.tif 000008
【図７】
2019024430.tif 000009
【図８】
2019024430.tif 000010
【図９】
2019024430.tif 000011
【図１０】
2019024430.tif 000012